(57)【要約】      （修正有）【課題】基板の一部及び／又は別の一又は複数の部材を金属からなるリベットによるカシメにより固定してベルト挿通部と工具収納部を設けた作業用ケースにおいて、基板にクラックが入って故障することを防止し、延いては、作業用ケースの寿命を永くする。【解決手段】複数のリベット８ａ、８ｃ、８ｅを通す一又は複数の孔５２、５２を有する一又は複数の金属補強片５０、５０で基板を補強する。具体的には、各金属補強片５０、５０は、基板とは別の部材（ポケット形成板）２０、被吊り板６を基板に固定するための複数のリベットを通されてカシメにより基板に固定され、基板等を補強する。【選択図】図２
0003134010.tif 000002
【実用新案登録請求の範囲】
【請求項１】
皮革又は合成繊維等からなる基板に、基板の一部及び／又は別の一又は複数の部材を金属からなるリベットによるカシメにより固定してベルト挿通部と工具収納部を設けた作業用ケースにおいて、
複数のリベットを通す一又は複数の孔を有する一又は複数の金属補強片を有し、
上記各金属補強片は、上記基板の一部又は別の部材をその基板に固定するための複数のリベットを通されてカシメによりその基板に固定されてなる
ことを特徴とする作業用ケース。
【請求項２】
前記部材の少なくとも一つが、前記基板に周縁部を固定されてその基板との間に工具収納用のポケットを構成する、皮革又は合成繊維等からなるポケット形成板であり、
上記ポケット形成板と基板の一方又は双方の下部に孔が形成されて上記ポケット内の水を逃がす水排出孔とされた
ことを特徴とする請求項１記載の作業用ケース。
【考案の詳細な説明】
【技術分野】
【０００１】
本考案は、皮革又は合成繊維等からなる基板に、その基板の一部及び／又は別の一又は複数の部材を金属からなるリベットによるカシメにより固定してベルト挿通部と工具収納部を設けた作業用ケースに関する。
【背景技術】
【０００２】
ビルディング等の建設工事には、種々の種類の作業を行うことが必要であり、その作業に従事する各建設作業員にも種々の作業を行うことが要求される。従って、作業員は種々の工具類を使用しなければならない。そのため、一般に、建設作業員は複数種の工具類を収納できる作業用ケースを用い、それのベルト挿通部にベルト、例えば安全ベルトを通し、それに複数種の工具を収納して工事現場に臨み、種々の作業を行う。
【０００３】
本願出願人は、そのような作業用ケースについて各種の新製品を開発し、その成果の一部が例えば実用新案登録第３０５６３４０号公報、特開２００１−１７９６６２号公報等により公開されている。
【特許文献１】特許第３１７０５３６号公報
【特許文献２】特開２００１−１７９６６２号公報
【考案の開示】
【考案が解決しようとする課題】
【０００４】
ところで、従来の作業用ケースには、基板が皮革又は合成樹脂等からなるので、機械的強度が弱いという問題があった。図７はその問題点を説明するための作業用ケースの背面の上部を示す斜視図である。
同図において、ａは基板であり、皮革又は合成樹脂等からなる。ｂはこの基板ａの上部を前側へ折り返し上端を例えば着脱可能に固定することによって形成されたベルト挿通部であり、作業員がこのベルト挿通部ｂにベルト、例えば安全ベルトを通すことによりこの作業用ケースを身に付けることができる。
【０００５】
ｄ、ｄ、・・・は基板ａに基板ａ自身や他の部材を固定するためのリベットで、このカシメによりその固定をする。
ｅは筆記収納部ｆを保持する保持板であり、一部ｇが基板ａの裏面にリベットｄ’によるカシメにより固定され、他の部分ｃに上記筆記収納部ｆがリベットｄ’’によるカシメにより固定されている。
【０００６】
ｈは基板ａにその周縁から内部に向けて入ったクラックで、基板ａが皮革又は合成樹脂等からなるので、機械的強度が弱いことに起因して生じやすいものであり、一旦、クラックｈが入ると非常に短い期間の使用によりそのクラックｈが非常に大きくなり、そのクラックｈの発生場所によっては作業用ケースが略使用不能になるということが多い。特に、皮革製の場合には、雨に濡れると劣化しやすいという欠点があり、ほんの僅かな力が加わることによって簡単にクラックｈが入ってしまう、ということが起こり易い。従って、雨の日に作業するときは雨に濡れないように細心の注意を払って作業を進めることが強く要求される。
また、合成樹脂製の場合には、一般に雨には強いが、基本的に機械的強度が弱く、比較的短い期間にクラックｈが入り、直ぐに使用不能になる、というのが実情である。
【０００７】
本考案は、このような問題を解決すべく為されたものであり、皮革又は合成繊維等からなる基板に、基板の一部及び／又は別の一又は複数の部材を金属からなるリベットによるカシメにより固定してベルト挿通部と工具収納部を設けた作業用ケースにおいて、基板にクラックが入って故障することを防止し、延いては、作業用ケースの寿命を永くすることを目的とし、更には、ポケットに入った水を排出できるようにし、以て、皮革又は合成繊維等からなる基板が水により劣化が速まることを防止することを目的とする。
【課題を解決するための手段】
【０００８】
本考案作業用ケースは、皮革又は合成繊維等からなる基板に、基板の一部及び／又は別の一又は複数の部材を金属からなるリベットによるカシメにより固定してベルト挿通部と工具収納部を設けた作業用ケースにおいて、複数のリベットを通す一又は複数の孔を有する一又は複数の金属補強片を有し、この各金属補強片は、基板の一部又は別の部材を基板に固定するための複数のリベットを通されてカシメにより基板に固定されてなることを特徴とする。
尚、上記別の部材には、基板の例えば表面に皮革又は合成樹脂からなるポケットの周縁部を固定して工具（本願明細書において、工具には、ハッカー等の建設用工具の他、建設作業に必要な折り尺その他の測定具や印を付ける筆記類も含まれるものとする。）を収納する工具収納具を構成した場合におけるそのポケットを補強する金属補強金具も含まれるものとする。
【０００９】
また、その作業用ケースにおいて、前記部材の少なくとも一つが、基板に周縁部を固定されてその基板との間に工具収納用のポケットを構成する、皮革又は合成繊維等からなるポケット形成板であり、上記ポケット形成板と基板の一方又は双方の下部に孔が形成されて上記ポケット内の水を逃がす水排出孔とするようにしても良い。
【考案の効果】
【００１０】
本考案作業用ケースによれば、皮革又は合成繊維等からなる基板に僅かな力が入ってクラックが入ることを金属補強片により補強することにより阻むことができる。
そして、各金属補強片は、基板の一部又は別の部材を基板に固定するための複数のリベットを通されてカシメにより基板に固定されるようにし、金属補強片を設けた位置に基板とその一部又は別の部材を取り付けるリベットを通すようにしたので、金属補強片を設けたが故に基板にリベット挿通孔を徒に多く設ける必要はなく、補強効果が弱まるおそれがない。
また、水排出孔を設けた場合には、雨の中での建設作業中にポケット内に雨水が侵入しても侵入した水はその水排出孔から外部に排出されるので、ポケットに水が溜まるおそれが無く、延いてはポケット内に溜まった水により皮革又は合成繊維等からなる基板やポケット形成板が劣化するおそれがない。
【考案を実施するための最良の形態】
【００１１】
本考案は、基本的に、複数のリベットを通す一又は複数の孔を有する一又は複数の金属補強片を有し、斯かる各金属補強片は、基板の一部又は別の部材を基板に固定するための複数のリベットを通されてカシメにより基板に固定されたものであるが、基板は皮革による方が合成樹脂によるよりも好ましい。というのは、皮革の方が合成繊維よりも機械的強度が強いからである。
【００１２】
上記金属補強片は、一つのカシメ部のリベットと別のカシメ部のリベットを通す孔は、細長い一つの孔のみからなるようにしても良いし、複数の孔を設け、各孔に一つの孔のみを通すようにしても良い。
また、基板の表面と裏面の双方の同じ位置に金属補強片を設けて基板を表裏両面にて補強するようにしても良い。
また、基板にこれとの間でポケットを構成するポケット形成板を設けて工具収納用のポケットを形成した場合においては、そのポケットの下部に当たる部分にポケット内の水を逃がす水排出孔を設けるようにしても良い。
【実施例１】
【００１３】
以下、本考案の詳細を図示実施例に基いて説明する。
図１〜図３は本考案作業用ケースの一つの実施例（：実施例１）を示すもので、図１は作業用ケースを斜め正面から視た斜視図、図２は要部を示す分解斜視図、図３は下部を斜め背面側から視た斜視図である。
先ず、図１を参照して作業用ケースの概略構成を説明する。
【００１４】
図面において、２ａは本実施例（作業用ケース）、４は皮革又は合成繊維からなる基板、６は皮革又は合成繊維からなる被吊り板で、下端部がこの基板２の裏面の上部にリベット８ａ、８ａ、８ａ（図２参照）によるカシメにより固定され、上部が前方にＵ字状に折り返され、更にその先端部に着脱金具１０がリベット８ｂ、８ｂによるカシメにより固定されている。この着脱金具１０の先端はＪ字状に形成されて係合部１２とされている。この係合部１２は基板４の上部背面にリベット８ｃ、８ｃによるカシメにより固定された着脱金具１４の係合孔１６に着脱可能に係合することによってベルト挿通部１８が構成される。
【００１５】
２０は上記基板４の表面に左右両側縁及び下端縁を固定されてこの基板４とでハッカー収納ポケット２２を構成するポケット形成板であり、皮革又は合成繊維からなる。Ａはそのハッカー収納ポケット２２に収納されるハッカー（結束工具）である。
２４はポケット形成板２０の上端部を補強する金属補強板であり、この金属補強板２４の取り付けについては後で詳述する。
【００１６】
２６は上記ポケット形成板２０の表面に設けられたミゼットカッター保持用板で、例えば金属からなり、上部と中間部と下部に保持具２８、３０、３２が一体に形成され、この保持具２８、３０、３２とミゼットカッター保持用板２６とにより図示しないミゼットカッターを保持する。３４は保持具３２に形成された孔で、この孔３４にゼットカッターの先端が嵌る。
３６、３６、・・・はミゼットカッター保持用板２６の左右両側縁に一体に突出形成された取付片で、基板４及びポケット形成板２０の左右両側縁にリベット８ｄ、８ｄによるカシメにより固定されており、その固定によりミゼットカッター保持用板２６が上記ポケット形成板２０の表面に位置した状態を保つようにされている。
【００１７】
４０は上記基板２の右側に設けられた折り尺収納具で、上側が開口した断面略正方形の有底の例えば金属製の筒４２からなり、図示しない折り尺を収納する。
４４は上記基板２の右側に設けられた上記折り尺収納部４０の表側に取り付けられたチョーク収納具で、例えば金属製の筒からなる。尚、チョーク収納具４４については種々のものがあるが、その構成、作用は本考案の本質ではないので、その詳細な説明は省略する。
【００１８】
次に、図２を参照して本実施例２ａの要部、即ち、金属補強片による基板の補強とそれに関連する事項について説明をする。尚、２点鎖線で示す金属補強片については、最初は無視して説明し、その後、それに関する説明をする。
５０、５０は金属補強片であり、トラック状の平面形状を有し、トラック状のリベット挿通孔５２、５２を有する。
【００１９】
上記被吊り板６の下端を基板４の背面に固定する上記リベット８ａ、８ａ、８ａはその被吊り板６の図面に現れないリベット挿通孔及び基板４のリベット挿通孔５４ａ、５４ａ、５４ａを通され、基板４の表面に突出した部分がカシメられてその被吊り板６の下端部の基板４の背面への固定をする役割を果たすことは前に述べた。
しかし、そのうちの最も下側（左右方向における真ん中）のもの２ａを除く２つのリベット８ａ、８ａについては、被吊り板６から突出した部分が金属補強片５０、５０のリベット挿通孔５２、５２の上部を通され、更に基板４のリベット挿通孔５４ａ、５４ａを通され、基板４の表側から突出した部分がカシメられているのである。即ち、被吊り板６と基板４の背面との間に金属補強板５０、５０の上部が介在しているのである。
【００２０】
尚、最も下側（真ん中）のリベット８ａについては、金属補強片５０のリベット挿通孔５２を通ることなく、基板４のリベット挿通孔５４ａを通り、そこから基板4の表側に突出した部分がカシメられている。
８ｅ、８ｅは上記基板４の表面に上記ポケット形成板２０の上端部を固定すると共に、上記金属補強板２４をその上端部に固定するリベットである。このリベット８ｅ、８ｅは、上記金属補強片５０、５０のリベット挿通孔５２、５２の下部を通され、更に基板４のリベット挿通孔５４ｅ、５４ｅを通され、基板４の表側から突出した部分が上記ポケット形成板２０の上端部の５６ｅ、５６ｅに通され、更に、上記金属補強板２４のリベット挿通孔５８ｅ、５８ｅに通され、このリベット挿通孔５８ｅ、５８ｅから突出した部分がカシメられている。
８ｆは上記ポケット形成板２０の上端部の中央部に形成されたリベット挿通孔５６ｆ及び上記金属補強板２４の中央部に形成されたリベット挿通孔５８ｆに通され、カシメられたリベットである。
【００２１】
このような作業用ケース１ａは、複数の金属補強片５０、５０が一つのカシメ部のリベット８ａ、８ａと別のカシメ部のリベット８ｅ、８ｅを通す孔５２、５２を有し、基板４の一部及び別の部材を基板に固定するための複数のリベット８ａ、８ｅ、８ａ、８ｅを通されてカシメにより基板に固定されてなり、基板４はその複数の金属補強片５０、５０が固定された部分においてその金属補強片５０、５０により補強されている。
【００２２】
尚、図２において２点鎖線で示した金属補強片５０、５０を基板４の表側に配置して、その表側の金属補強板５０、５０と、裏側に配置された実線で示した上記金属補強板５０、５０とで二重に強固に補強するようにしても良い。
また、基板４の裏側に金属補強片５０、５０を配置することに代えて、２点鎖線で示した金属補強片５０、５０を基板４の表側に配置するようにすることもできる。
【００２３】
次に、図３を参照してこの作業用ケース２ａの別の特徴、即ち、ハッカー収納ポケット２２（図１参照）の下部に水排出孔を形成したという構成について説明する。
６０は基板４の下部に形成した切欠により構成されたそのハッカー収納ポケット２２（図１参照）と外部を連通する水排出孔である。
この水排出孔６０を設けることにより、雨の中での建設作業中にポケット内に雨水が侵入しても侵入した水を、その水排出孔６０から外部へ排出させることができる。
【００２４】
従って、そのポケット２２に水が溜まるおそれが無く、延いてはポケット２２内に溜まった水により皮革又は合成繊維等からなる基板４やポケット形成板２０が劣化するというようなことが起きるおそれがない。
尚、基板４に孔を形成することによってではなく、ポケット形成板２０に孔を形成することによって、或いは、基板４とポケット形成板２０の双方に孔を形成することによって水排出孔６０を形成するようにしても良い。
［変形例］
【００２５】
図４は金属補強片の変形例５０ａを示すものである。
この金属補強片５０ａは、リベット挿通孔５２ａが複数あり、一つのリベット挿通孔５２ａは一つのリベットのみを通すようにされている。
このような金属補強片５０ａを図１〜図３に示した実施例２ａに用いた金属補強片５０に代えて用いるようにしても良い。
【実施例２】
【００２６】
図５、図６は本発明の別の実施例（：実施例２）２ｂを示すもので、図５は斜め正面から視た見た斜視図、図６は斜め背面から視た斜視図である。
本実施例２ｂは本発明を金具によりベルト挿通部を構成したタイプの作業用ケースに適用したものである。
本実施例２ｂは、図１〜図３に示した実施例２ａとは共通する部分が多く、共通する部分については既に説明済みなので、図５、図６中において、図１〜図３で用いたものと同じ符号を付して説明を省略し、相違する点についてのみ説明をする。
【００２７】
１００は被吊り板で、金属からなり、一対の縦に延びる細長のベルト挿通孔１０２、１０２を有し、その２つのベルト挿通孔１０２、１０２に一つのベルトを挿通することによりその被吊り板１００がベルトに吊り下げられた状態になるようにされている。
１０４は被吊り板１００を基板４ａに回動自在に取り付ける蝶番で、回動片１０６と１０８が軸１１０を回動中心として回動可能なるように連結されている。
そして、回動片１０６は上記被吊り板１００の下部にリベット８ｈのカシメにより固定されており、回動片１０８は基板４ａの裏面にリベット８ｉ、８ｉによるカシメにより固定されている。
【００２８】
ここで、その回動片１０８の基板４ａへの固定について詳しく説明する。
１１２は金属補強片で、その両端部に１個ずつ、中央部に２個図面に現れないリベット挿通孔が形成されており、基板４ａの背面の上端部に配置されている。
８ｊ、８ｊはリベットで、金属補強片１１２の両端部のリベット挿通孔、ポケット形成板２０のリベット挿通孔及び金属補強板２４のリベット挿通孔に通され、金属補強板２４から突出された部分がカシメられて金属補強片１１２、基板４ａ、ポケット形成板２０及び補強板２４を互いに固定する役割を果たす。
【００２９】
上記リベット８ｉ、８ｉは、上記回動片１０８に形成された図面に現れないリベット挿通孔及び金属補強片１１２の中央部の図面に現れない２個のリベット挿通孔及び基板４ａの中央部の図面に現れない２個のリベット挿通孔に通され、この基板４ａから表側に突出した部分がカシメられて、上記蝶番１０４の回動片１０８を金属補強片１１２を介して基板４ａに固定する。
【００３０】
このような作業用ケース２ｂによれば、基板４ａの背面上端部に金属補強片１１２が固定されているので、この金属補強片１１２によって基板４ａの上端部が補強されている。
尚、このような作業用ケース２ｂにおいても、金属補強片１１２を基板４ａの裏側のみでなく、表側にも設けるようにしても良いし、また、金属補強片１１２を基板４ａの裏側に設けることに代えて表側に設けるようにしても良い。
また、本考案は、基板の上端部を裏側に折り返して基板の背面にリベットのカシメにより固定したタイプの作業用ケース、即ち、皮革又は合成繊維等からなる基板に、基板の一部を金属からなるリベットによるカシメにより固定して構成したベルト挿通部を有する作業用ケースにも適用することができる。
【産業上の利用可能性】
【００３１】
本考案は、皮革又は合成繊維等からなる基板に、基板の一部及び／又は別の一又は複数の部材を金属からなるリベットによるカシメにより固定してベルト挿通部と工具収納部を設けた作業用ケースに、産業上の利用可能性がある。
【図面の簡単な説明】
【００３２】
【図１】本考案作業用ケースの一つの実施例（：実施例１）を斜め正面から視た斜視図である。
【図２】上記実施例の要部を示す分解斜視図である。
【図３】上記実施例の下部を斜め背面側から視た斜視図である。
【図４】上記実施例の金属補強片の変形例を示す斜視図である。
【図５】本考案作業用ケースの他の実施例（：実施例２）を斜め正面から視た斜視図である。
【図６】上記他の実施例を斜め背面から視た斜視図である。
【図７】本考案が解決しようとする課題を説明するための作業用ケースの背面の上部を示す斜視図である。
【符号の説明】
【００３３】
２ａ、２ｂ・・・作業用ケース、４、４ａ・・・基板、６・・・被吊り板、
８、８ａ〜８ｊ・・・リベット、１８・・・ベルト挿通部、
２０、２８、３０、３４、４０、４４・・・工具類収納部（ハッカー収納具）、
２２・・・ポケット、２４・・・金属補強板、５０、５０ａ・・・金属補強片、
５２、５２ａ・・・リベット挿通孔、６０・・・水排出孔、
１００・・・被吊り板、１０２・・・ベルト挿通部（ベルト挿通孔）、
１１２・・・金属補強片。
【図１】
0003134010.tif 000003
【図２】
0003134010.tif 000004
【図３】
0003134010.tif 000005
【図４】
0003134010.tif 000006
【図５】
0003134010.tif 000007
【図６】
0003134010.tif 000008
【図７】
0003134010.tif 000009